(57)【要約】【課題】ユーザにおける時間、場所の状況に応じて通話時間および待ち受け時間を延ばすことができる携帯通信端末装置およびそのパワーセーブ方法を提供する【解決手段】ＣＰＵ１５が、電源として用いられるバッテリ２５の電池残量を検出し、検出した電池残量値が、パワーセーブ条件を設定するモードを起動するための電池残量閾値を超えたならば、パワーセーブ条件を設定するモードを起動し、該モードで設定した条件に基づいて通話時間および待ち受け時間を算出して液晶表示装置１４に表示する。【選択図】図１
2008011155.tif 000002
【特許請求の範囲】
【請求項１】
電源として用いられるバッテリと、
表示手段と、
前記バッテリの電池残量を検出する電池残量検出手段と、
パワーセーブ条件を設定するモードを起動するための電池残量閾値を記憶する記憶手段と、
前記電池残量検出手段の検出した電池残量値が、前記電池残量閾値を超えると、前記パワーセーブ条件を設定するモードを起動し、該モードで設定した条件に基づいて、動作時間を算出して前記表示手段に表示制御する制御手段と、
を備えることを特徴とする携帯通信端末装置。
【請求項２】
前記パワーセーブ条件を設定するモードでは、前記表示手段に設定項目毎にパワーセーブの効果の大きさを表示することを特徴とする請求項１に記載の携帯通信端末装置。
【請求項３】
前記パワーセーブ条件を設定するモードでは、前記表示手段にパワーセーブの効果が大きい順に設定項目を表示することを特徴とする請求項１または２に記載の携帯通信端末装置。
【請求項４】
前記パワーセーブ条件を設定するモードでは、設定項目毎に設定時間を設け、該時間内に設定入力がされない場合、その項目の設定を有効にすることを特徴とする請求項１に記載の携帯通信端末装置。
【請求項５】
通話終了後に、前記電池残量検出手段の検出した電池残量値が、前記電池残量閾値を超えているならば、前記パワーセーブ条件を設定するモードを起動することを特徴とする請求項１〜４のいずれかに記載の携帯通信端末装置。
【請求項６】
電源として用いられるバッテリの電池残量を検出し、検出した電池残量値が、パワーセーブ条件を設定するモードを起動するための電池残量閾値を超えたならば、前記パワーセーブ条件を設定するモードを起動し、該モードで設定した条件に基づいて動作時間を算出して報知制御することを特徴とする携帯通信端末装置のパワーセーブ方法。
【発明の詳細な説明】
【技術分野】
【０００１】
本発明は、継続使用可能時間を延ばすことのできる携帯通信端末装置およびそのパワーセーブ方法に関するものである。
【背景技術】
【０００２】
携帯電話機などの携帯通信端末装置においては、内部に電源としてバッテリを備え、通話時および待ち受け時のバッテリの電圧値の変化を検出し、この電圧値の変化に基づいて、バッテリの残容量を検出し、その残容量レベルを液晶パネル等の表示部で表示することが行われている。
【０００３】
また、バッテリの残容量から見て携帯通信端末装置を後どれだけ継続使用可能であるかを示す時間を算出し、その表示することも行われており、特許文献１には、動作モード（待ち受け状態のモードあるいは通話状態のモード等）別に動作が後どれだけ継続可能かを示す残り時間の値を算出する装置が開示されている。また、特許文献２には、バッテリの残容量および通話可能時間を算出し、通話可能時間を音声で報知する装置が開示されており、特許文献３には、通話状態から待ち受け状態に変化した直後において電池残量を不当に少な目のレベルと判定しないような電池残量表示装置が開示されている。
【特許文献１】特開平９−１８１８０４号公報
【特許文献２】特開平１０−３１２８３３号公報
【特許文献３】特開２００１−１０３６７１号公報
【発明の開示】
【発明が解決しようとする課題】
【０００４】
しかしながら、従来技術では、バッテリの残容量から装置の継続使用可能時間を算出するだけであり、継続使用可能時間が変化するわけではない。携帯電話機はバッテリを充電することによって継続使用可能時間を延ばすことができるが、ユーザの置かれた状況によっては、常にバッテリを充電できるとは限らない。また、ユーザの置かれた状況によっては、バッテリの残容量が少なくなっても、携帯電話機はいつ電話がかかってくるかわからないので常に電源をＯＮにして長い使用可能時間を確保することが望まれる場合がある。従来の携帯電話機ではこのような状況に対応することができないという問題があった。
【０００５】
本発明は、このような問題点に鑑みてなされたものであり、本発明の目的は、ユーザにおける時間、場所の状況に応じて装置の継続使用可能時間を延ばすことのできる携帯通信端末装置およびそのパワーセーブ方法を提供することにある。
【課題を解決するための手段】
【０００６】
上記目的を達成するため、本発明の携帯通信端末装置は、電源として用いられるバッテリと、表示手段と、バッテリの電池残量を検出する電池残量検出手段と、パワーセーブ条件を設定するモードを起動するための電池残量閾値を記憶する記憶手段と、電池残量検出手段の検出した電池残量値が、電池残量閾値を超えると、パワーセーブ条件を設定するモードを起動し、該モードで設定した条件に基づいて、動作時間を算出して表示手段に表示制御する制御手段とを備えることを特徴とする。
【０００７】
パワーセーブ条件を設定するモードでは、表示手段に設定項目毎にパワーセーブの効果の大きさを表示することが好ましく、また、表示手段にパワーセーブの効果が大きい順に設定項目を表示することが好ましく、さらに、設定項目毎に設定時間を設け、該時間内に設定入力がされない場合、その項目の設定を有効にすることが好ましい。
【０００８】
また、通話終了後に、電池残量検出手段の検出した電池残量値が、電池残量閾値を超えているならば、パワーセーブ条件を設定するモードを起動することが好ましい。
【０００９】
また、本発明の携帯通信端末装置のパワーセーブ方法は、電源として用いられるバッテリの電池残量を検出し、検出した電池残量値が、パワーセーブ条件を設定するモードを起動するための電池残量閾値を超えたならば、パワーセーブ条件を設定するモードを起動し、該モードで設定した条件に基づいて動作時間を算出して報知制御することを特徴とする。
【発明の効果】
【００１０】
本発明は、バッテリの電池残量が電池残量閾値を超えると、パワーセーブ条件を設定するモードを起動してパワーセーブの条件を設定させることで、ユーザにおける時間、場所の状況に応じて通話時間および待ち受け時間を延ばすことができる。
【発明を実施するための最良の形態】
【００１１】
本発明の実施の形態について図面を参照して説明する。図１は、本発明の実施の形態に係る携帯通信端末装置を示すシステム構成図である。なお、本実施の形態では、携帯通信端末装置として携帯電話機を例示して説明する。図１において、携帯通信端末装置は、アンテナ１１を介して基地局と信号の送受信を行うＲＦ送受信部１２と、信号の変復調を行うベースバンド部１３と、液晶表示部（ＬＣＤ）１４と、プログラムやデータなどを記憶するメモリ部１６と、ＭＩＤＩ音源などからなり、メロディ等の音信号を出力する音源部１７と、音声信号のＡ−Ｄ、Ｄ−Ａ変換を行うコーデック部１８と、音源部１７とコーデック部１８とを切り替えるスイッチ２０と、電話機スピーカ２１，２２と、電話機マイク２３と、本装置の電源として用いられるバッテリ２５と、バッテリ２５のアナログ電圧値をデジタル電圧値に変換するＡＤ変換部２４と、バッテリ２５の残量を計算するとともに信号の処理、制御を行うＣＰＵ１５と、ユーザからの入力情報をＣＰＵ１５に供給するキー入力部１９と、電源電圧を制御する電源ＩＣ２６と、電源ＩＣ２６の稼働時に点灯するＬＥＤ２７とを備えている。
【００１２】
メモリ部１６は、パワーセーブ条件を設定するモード（以下、パワーセーブモードと記載する）を起動するためのバッテリの電池残量閾値を記憶している。
【００１３】
ＣＰＵ１５は、ＡＤ変換部２４で読み取ったバッテリ２５の電圧値を電流値表示へ変換し、メモリ部１６に格納されている電池残量曲線のテーブルに照合して電池残量を検出する電池残量検出手段としての機能と、検出した電池残量値が、電池残量閾値を超えると、パワーセーブモードを起動し、該モードで設定した条件に基づいて、動作時間を算出して液晶表示部（ＬＣＤ）１４に表示制御する制御手段としての機能を有する。なお、これらの機能は、ＣＰＵ１５が、メモリ部１６に格納されているプログラムを実行することによって実現される。
【００１４】
図２は、携帯通信端末装置の各ブロック部別の推定稼働電流量を表す図である。ＣＰＵ１５は、図２に示す各ブロック部別の推定稼働電流量を用いて平均待ち受け電流量、平均通話電流量を予め算出しておき、これらの値をメモリ部１６に格納しておく。
【００１５】
図３は、待ち受け時における電池容量が無くなるまでの電池残量（ｍＡ）と時間（時）との関係を表す電池残量曲線を示す図であり、図４は、通話時における電池容量が無くなるまでの電池残量（ｍＡ）と時間（分）との関係を表す電池残量曲線を示す図である。これらの電池残量曲線は、テーブルとしてメモリ部１６に格納しておく。ＣＰＵ１５は、図３の電池残量曲線から残電流量を算出し、平均待ち受け電流量で除算することで、待ち受け時の残量時間を算出することができ、図４の電池残量曲線から残電流量を算出し、平均通話電流量で除算することで、通話時の残量時間を算出することができる。これらの値をテーブルにしてメモリ部１６に格納しておくことで、常に算出が容易となる。
【００１６】
図５は、本発明の携帯通信端末装置において対話形式でパワーセーブ条件を設定するときの動作例を説明するフローチャートである。携帯通信端末装置は、待ち受け時にバッテリ２５の容量が電池残量閾値を超えると、携帯通信端末装置の液晶表示部１４に「電池残量が少なくなっています。通話で約５分、待ち受けで約１時間可能です。」のメッセージを表示し（ステップ１１）、続いて、「充電できますか？」と表示する（ステップ１２）。ここで、ユーザがキー入力部１９からＹＥＳを選択すると、液晶表示部１４に「充電を開始してください。」のメッセージを表示し（ステップ２２）、充電が完了すると「満充電になりました。」と表示し（ステップ２３）、続いて、「通話で約１６０分、待ち受けで約２００時間可能です。」と表示する（ステップ２４）。
【００１７】
ステップ１２において、ユーザがキー入力部１９からＮＯを選択すると、液晶表示部１４に「パワーセーブモードを起動しますか？」のメッセージを表示し（ステップ１３）、ＹＥＳであれば、「場所は暗いですか？」と表示する（ステップ１４）。ここでユーザがＹＥＳを選択すると、液晶表示部１４に「ＬＥＤを点灯しますか？」のメッセージを表示し（ステップ２５）、ＹＥＳであれば「切れるまで使いますか？」と表示する（ステップ２９）。
【００１８】
ステップ１４において、ユーザがＮＯを選択すると、「着信時、ＬＣＤ、キーＬＥＤを消しますか？」と表示し（ステップ１５）、ＹＥＳであれば、続いて「カメラを停止しますか？」と表示する（ステップ１６）。ユーザがＹＥＳを選択すると、液晶表示部１４に「ＵＳＢの接続を停止しますか？」のメッセージを表示し（ステップ１７）、ＹＥＳであれば、「着信音を停止しますか？」と表示し（ステップ１８）、ＹＥＳであれば、続いて「ＣＰＵの処理を遅くしますか？」と表示する（ステップ１９）。ユーザがＹＥＳを選択すると、「通話で約３０分、待ち受けで約３時間にのびました。」と表示し（ステップ２０）、続いて「充電を早めにしてください。」と表示する（ステップ２１）。
【００１９】
ステップ１３，１５〜１９，２５，２９において、ユーザがキー入力部１９からＮＯを選択すると、液晶表示部１４に「携帯の動作を停止しても良いですか？」と確認のメッセージを表示し（ステップ２６）、ユーザがＹＥＳを選択すると、「システムを自動停止しても良いですか？」と表示し（ステップ２７）、携帯通信端末装置の電源をＯＦＦにする（ステップ２８）。ステップ２６においてユーザがＮＯを選択すると、「電源が切れるまで使用します？」と表示し（ステップ２９）、バッテリ２５の残量が無くなると電源をＯＦＦにする（ステップ２８）。
【００２０】
上述のように対話形式で設定できるので、老人や子供でも容易にパワーセーブ条件を設定することができる。また、上述したメッセージを液晶表示部１４に表示するとともに、電話機スピーカ２１，２２から音声で出力するようにすることも可能である。音声で出力することができれば、視覚上問題のある人でも容易にパワーセーブ条件を設定することができる。
【００２１】
図６は、待ち受け画面で対話形式でパワーセーブ条件を設定するときの表示例を示す図である。パワーセーブ条件を設定するモードが起動されると、液晶表示部１４の上部には、バッテリ残量を示すバッテリのアイコンと、受信状態を示すアンテナのアイコンとが表示され、中央部には「約５分通話できます。通話時間を延ばしますか？」のメッセージが表示され、下部には、現在時刻が表示される。設定１の画面では、画面中央部に「ＬＥＤ、ＬＣＤバックライトを消しますか？」のメッセージ（項目）がｔ１時間表示され、設定２の画面では、画面中央部に「カメラを停止しますか？」のメッセージ（項目）がｔ２時間表示され、設定３の画面では、画面中央部に「Ｂｌｕｅｔｏｏｔｈ、ＵＳＢの接続を停止しますか？」のメッセージ（項目）がｔ３時間表示され、設定４の画面では、画面中央部に「着信音を停止しますか？」のメッセージ（項目）がｔ４時間表示され、設定５の画面では、画面中央部に「ＣＰＵの処理を遅くしますか？」のメッセージ（項目）がｔ５時間表示され、設定６の画面では、画面中央部に「パワーセーブモードに設定しました。」のメッセージがｔ６時間表示される。
【００２２】
各項目の設定画面が各ｔ１、ｔ２、ｔ３、ｔ４、ｔ５時間表示され、かつその時間内に設定入力がされない場合は、設定入力がされない項目の設定は有効（パワーセーブ）となるようにする。なお、各項目の設定画面は、電話機能を維持するために必要な項目の設定画面を除き、パワーセーブの効果が大きい順に表示することが好ましい。
【００２３】
図７は、ユーザ設定画面でパワーセーブ条件を設定するときの表示例を示す図である。パワーセーブ条件を設定するモードが起動されると、液晶表示部１４に通話時間の延長設定の画面が表示される。通話時間の延長設定の画面では、「ＬＥＤバックライト」、「ＬＣＤバックライト」、「カメラ」、「ＵＳＢインターフェース（外部インタフェース）」、「音声着呼」、「ＣＰＵの処理を遅くする」の各項目のＯＮ、ＯＦＦが設定できるようになっており、また各設定項目毎にパワーセーブの効果の大きさ（指標）が表示される。なお、各設定項目は、電話機能を維持するために必要な「音声着呼」と「ＣＰＵの処理を遅くする」の項目を除き、パワーセーブの効果が大きい順に表示することが好ましい。
【００２４】
設定後の画面では、液晶表示部１４の上部に、バッテリ残量を示すバッテリのアイコンと、受信状態を示すアンテナのアイコンとが表示され、中央部に「通話で約３０分、待ち受けで約３時間に延びました。」のメッセージが表示され、下部に、現在時刻が表示される。待ち受け時の画面では、上部に、バッテリのアイコンとアンテナのアイコン、中央部に「約３０分通話できます。」のメッセージ、下部に、現在時刻が表示される。着信時の画面では、上部に、バッテリのアイコンとアンテナのアイコン、中央部に「約３０分通話できます。」のメッセージ、下部に、着信の文字と相手の電話番号が表示される。発信時の画面では、上部に、バッテリのアイコンとアンテナのアイコン、中央部に「約３０分通話できます。」のメッセージ、下部に、発信の文字と相手の電話番号が表示される。
【００２５】
なお、上述した実施の形態では、待ち受け時に電池残量が電池残量閾値を超えたときに、パワーセーブモードを起動したが、通話終了後に電池残量を検出し、電池残量が電池残量閾値を超えているならば、パワーセーブモードを起動するようにしてもよい。
【図面の簡単な説明】
【００２６】
【図１】本発明の実施の形態に係る携帯通信端末装置を示すシステム構成図である。
【図２】携帯通信端末装置の各ブロック部別の推定稼働電流量を表す図である。
【図３】待ち受け時における電池容量が無くなるまでの電池残量（ｍＡ）と時間（時）との関係を表す電池残量曲線を示す図である。
【図４】通話時における電池容量が無くなるまでの電池残量（ｍＡ）と時間（分）との関係を表す電池残量曲線を示す図である。
【図５】対話形式でパワーセーブ条件を設定するときの動作例を説明するフローチャートである。
【図６】待ち受け画面で対話形式でパワーセーブ条件を設定するときの表示例を示す図である。
【図７】ユーザ設定画面でパワーセーブ条件を設定するときの表示例を示す図である。
【符号の説明】
【００２７】
１１  アンテナ
１２  ＲＦ送受信部
１３  ベースバンド部
１４  液晶表示部（ＬＣＤ）
１５  ＣＰＵ
１６  メモリ部
１７  音源部
１８  コーデック部
１９  キー入力部
２０  スイッチ
２１，２２  電話機スピーカ
２３  電話機マイク
２４  ＡＤ変換部
２５  バッテリ
２６  電源ＩＣ
２７  ＬＥＤ
【図１】
2008011155.tif 000003
【図２】
2008011155.tif 000004
【図３】
2008011155.tif 000005
【図４】
2008011155.tif 000006
【図５】
2008011155.tif 000007
【図６】
2008011155.tif 000008
【図７】
2008011155.tif 000009